【事件の表示】
　平成　５年特許願第１８７５２３号「コマンド出力装置」拒絶査定に対する審判事件［平成　７年　１月２４日出願公開、特開平　７−２０９８３］について、次のとおり審決する。
【結　論】
　本件審判の請求は、成り立たない。
【理　由】
【１】手続の経緯・本願発明
　本願は、平成５年６月３０日に特許出願されたものであって、その請求項１に係る発明は、平成１３年１２月２１日付け及び平成１４年１月３１日付け手続補正書によって補正された明細書及び図面の記載からみて、その特許請求の範囲に記載された次のとおりのものと認める。
「【請求項１】　所定接触面における手指による複数位置の接触を検出する検出手段と、
　この検出手段で検出される第１の接触位置の変化がなく、且つ第２の接触位置の変化がある接触状態を判別する判別手段と、
　この判別手段による上記接触状態の判別に応じて、予め定められた特定コマンドを出力する出力手段と、を備えたことを特徴とするコマンド出力装置。」
　
【２】引用刊行物
（１）原査定の拒絶の理由に引用された、本願の出願の日前である平成３年１２月１７日に頒布された特開平３ー２８６２２２号公報（以下「引用刊行物１」という。）には、実施例と図面及びこれに係わる記載を参酌すると、以下のような技術的事項が記載されている。
（1-1）「ポインティングペン14は、第2図に示すように、ペン形状の本体24を有する。本体24の先端には、画面12上の位置を指示する画面指示部26が設けられている。画面指示部26は一定の押し付け圧力で動作するスイッチからなる。本体24には、2つのスイッチ28、30が設けられている。スイッチ28およびスイッチ30は互いに共働して前記計算機の操作指示を示す複数の状態情報を生成する。スイッチ28は人差し指で押され、スイッチ30は親指で押される。」（第3頁左下欄第6〜15行）
（1-2）「前記計算機に操作指示を与えるとき、スイッチ28は人差し指で押される。押されることによって各スイッチ28は”ON”動作をする。スイッチ28は図形のコピーや移動など”持っていく動作”、あるいは”保持している動作”を表現したい場合に使用される。例えば、ある円を移動したい場合は円の中の任意の位置をポインティングペン14により指示し、スイッチ28を押したままポインティングペン14を移動すれば良い。スイッチ28により人間にとって”つまむ”、”保持する”という動作が、従来のポインティングデバイスよりはるかに自然に表現される。
　スイッチ30はシャープペンシル等のノック式のボタンと同じ感触を持ったスイッチであり、押す度にON/OFFを繰り返すトグルスイッチである。スイッチ30は手描き図形を入力する時の細字／太字の区別、カラー液晶フラットディスプレイの場合の赤字／黒字の区別、通常の編集作業における挿入モードと消去モードの区別等の機能を選択するのに使用される。」（第4頁左上欄第19行〜同頁右上欄第18行）
（1-3）「画面指示部26の状態および2つのスイッチ28、30の状態は各々1ビットの情報として表現され、データ線34を介して3ビットの情報として計算機に入力されている。
　以上の説明から明らかなように、ポインティングデバイス10によれば、図形の選択などを座標位置情報の検出により直接的に指示できることに加えて、各スイッチ28、30が互いに共働して生成される状態情報を有効に活用することにより、メニューの選択、図形の移動などがより自然に実現される。」（第4頁左下欄第2〜13行）
（1-4）これらの記載によれば、この引用刊行物１には以下のような発明が記載されているものと認められる。
「人差し指で押される位置のスイッチ(28)と親指で押される位置のスイッチ(30)とが配置されているポインティングペン(14)で計算機に操作指示をあたえるポインティングデバイス(10)において、
　手指による複数スイッチ(28)(30)の接触・操作を検出する検出手段と、この検出手段で検出される親指で接触・操作されるスイッチ(30)の変化がなく、かつ人差し指で接触・操作されるスイッチ(28)の変化がある接触・操作状態を判別する判別手段と、この判別手段による上記接触・操作状態の判別に応じて、予め定められた特定コマンドを出力する出力手段と、を備えたポインティングデバイス。」
（２）同じく引用された本願の出願の日前である平成５年５月７日に頒布された特開平５ー１１３８５０号公報（以下「引用刊行物２」という。）には、実施例と図面及びこれに係わる記載を参酌すると、以下のような技術的事項が記載されている。
「【0009】本実施例の構成をなす筐体1の先端部には、ペン型入力装置の滑動方向および距離を入力するローラ2が取付けられている。筐体１の表面には、握り部の前部にメニュー切替用のクリックボタン3が取付けられている。
【0010】また、入力装置の滑動方向、距離と、画面内のカーソルの移動方向、距離とを予め同調させる微調整機構が内蔵され、その操作のための微調整スライド片4が握り部の近くに備えられている。
【0011】次に本実施例の動作について説明する。
【0012】オペレータはペン型入力装置の握り部を握り、筐体1の先端のローラ2を画面上にあてがい、先づ微調整スライド片4を調整して信号を変調させ、入力装置の移動と画面内のカーソルの移動とを同調させる。その後は従来の形式のマウスと同様の操作にてメニュー切替え用のクリックボタンを使用しながら画面上に任意の図形を描画させる。」（第2頁右欄第17〜33行、段落【0009】〜【0012】）
　これらの記載によれば、この引用刊行物２には、ペン型入力装置が開示されており、このようなペン型入力装置において「筐体(1)の同一表面にクリックボタン(3)と微調整スライド片(4)が備えられ、当該2つの操作部の状態に応じた入力動作信号を発生する」技術的事項が記載されている。
　
【３】対比・判断
　本願の請求項１に係る発明（以下「本願発明」という。）と前記引用刊行物１に記載された発明（以下「引用発明」という。）とを対比すると、引用発明１における「親指で接触・操作されるスイッチ(30)」及び「人差し指で接触・操作されるスイッチ(28)」は、それぞれ本願発明における「第１の接触位置」及び「第２の接触位置」に対応し、両者とも指による接触・操作状態が判別されるものであるから、第１、第２の「接触・操作位置」として共通するものと認められる。
　また、引用発明１におけるポインティングデバイス(10)も、計算機にコマンドを出力するものであるから、本願発明におけるコマンド出力装置に相当する。
　したがって、両者は、以下のとおりの一致点および相違点を有するものと認められる。
（一致点）
「手指による複数位置の接触・操作を検出する検出手段と、
　この検出手段で検出される第１の接触・操作位置の変化がなく、且つ第２の接触・操作位置の変化がある接触・変化状態を判別する判別手段と、
　この判別手段による上記接触・操作状態の判別に応じて、予め定められた特定コマンドを出力する出力手段と、を備えたコマンド出力装置。」
（相違点）
 (i)検出手段が、本願発明にあっては、所定接触面における手指による複数位置の接触を検出するものであるのに対して、引用発明１にあっては、ポインティングペン(14)における、手指による複数スイッチ(28)(30)の接触・操作を検出するものであって、スイッチ(28)は人差し指で押される位置、スイッチ(30)は親指で押される位置に配置されている点、
 (ii)判別手段が、本願発明にあっては、第１の接触位置の変化がなく、且つ第２の接触位置の変化がある接触状態を判別するものであるのに対して、引用発明１にあっては、親指で接触・操作されるスイッチ(30)の変化がなく、かつ人差し指で接触・操作されるスイッチ(28)の変化がある接触・操作状態を判別するものである点、
（検討）
　上記相違点について、以下に検討する。
　相違点(i)について、本願発明の「所定接触面における手指による複数位置の接触を検出する」に関して、この「所定接触面」となすことの技術的意義は、本願明細書の段落【0041】【0042】に「ペン型コマンド出力装置1は、ユーザーの手指により通常の筆記具を握るようにタッチパネル4部分が握られると、コマンド生成部7は、その握られた親指と中指の接触位置を基準点P,Qとして検出し、その検出した基準位置情報をP0,Q0としてメモリ8内のデータ格納エリアに格納する（ステップS1）。」「すなわち、本実施例では、図6にタッチパネル4の展開図を示すように、親指と中指の接触位置をP,Qとして検出するとともに、人差し指の接触位置及び移動を第3点Sとして検出する。」旨記載されているように、明確ではないものの、要するに、複数位置の接触を検出する、親指、中指、人差し指等の手指による「複数位置が接触する面」というものと推認される。
（なお、検出手段について、本願発明で規定する「所定接触面における手指による複数位置の接触を検出する」検出手段とは、その文言からの具体的な検出内容として、コマンド出力装置上の「同一手指の移動による、複数位置を手指が接触したかどうか」（すなわち、接触状態での接触位置の位置自体の変化）を検出するもの、及び、コマンド出力装置上の「異なる手指による、複数位置を手指が接触したかどうか」（すなわち、複数の接触位置の接触・非接触状態の変化）を検出するもの、のいずれをもこの「複数位置の接触を検出する」構成の具体的検出内容に含まれるものである。また、本願発明においては、手指による（複数位置の）「接触を検出する」検出手段としての具体的構成に関し、実施例構成の感圧装置を用いるか、あるいはスイッチを用いるかは、本願明細書の段落【0059】にも「親指、中指、人差し指の位置及び人差し指の動きを検出する位置に個別に検出スイッチを設けるようにしても良い」と記載されているように、具体的構成にあたって当業者が適宜に行う設計事項として記載されている。そして、前記引用発明１においては、手指で接触・操作する複数位置に配置された各スイッチ(28)(30)の変化を検出し、該複数スイッチの操作状態の組み合わせにより特定コマンドを出力しているものであり、また前記のとおり本願発明の「検出手段」は引用発明１のスイッチを包含するものであるから、両者間に実質的な差異を有するものとは認められない。）
　しかしながら、この手指による「複数位置が接触する面」を検出することは、引用発明１においても、前記スイッチ(28)(30)はペン(14)の複数位置に配置されて手指で押されるものであるから、複数位置の各スイッチ(28)(30)を接触・操作することとなり、また手指による「複数位置が接触する面」におけるスイッチの接触・操作となるものである。そして、前記引用刊行物２には、ペン型入力装置において「筐体(1)の同一表面にクリックボタン(3)と微調整スライド片(4)が備えられ、当該2つの操作部の状態に応じた入力動作信号を発生する」技術的事項が開示されているから、本願発明のように「所定接触面における手指による複数位置の接触を検出する」構成となすことは、接触や操作性などに応じてどの指により接触・操作するかに応じて当業者が適宜に定めうる設計事項にすぎないものと認められる。
　相違点(ii)について、本願発明における「第１の接触位置の変化がなく、且つ第２の接触位置の変化がある接触状態を判別する」に関し、この「接触位置の変化」の変化の内容については、前記相違点(i)でも検討したように、「手指が接触する位置の位置自体の変化」であるとともに「手指が接触する位置の接触状態の変化」であって、そのいずれでもよいのであるから、本願発明の構成には引用発明１の構成である「第２の接触位置であるスイッチ(28)におけるスイッチ状態の変化を判別する」構成が含まれるものである。そして、この場合の接触状態を判別する判別手段において、個別のスイッチを用いるかどうかということは、前記相違点(i)で検討したように、具体的に構成するにあたって当業者が適宜に定めうる設計事項である。
　したがって、本願発明のように、判別手段を、第１の接触位置の変化がなく、且つ第２の接触位置の変化がある接触状態を判別するものとし、この接触状態の判別に応じて、予め定められた特定コマンドを出力するように構成することは、当業者が容易になし得ることと認められる。
　また、本願発明により奏する作用効果も、当業者が予測し得る程度のものであって格別のものとは認められない。
　
【４】むすび
　以上のとおりであるから、本願の特許請求の範囲の請求項１に係る発明は、前記引用刊行物１、２に記載された発明に基づいて当業者が容易に発明をすることができたものと認められるので、特許法第２９条第２項の規定により特許を受けることができない。
　よって、結論のとおり審決する。